(57)【要約】【課題】小型重量物を梱包するための仕切を有するパッケージにあって、木材等の補強材を使用することなく、重量に絶え得る十分な強度を確保し得る反面、パッケージ全体をダンボール板のみで形成し得るようにし、使用後におけるリサイクル化を容易に行ない得るようにすることを目的とする。【解決手段】ダンボール製の箱体内に、梱包物を収容する仕切を重ね入れるように構成したパッケージにおいて、仕切を構成するダンボール板の側面部に、ダンボール板で形成した支柱を配置させるとともに、支柱の端部が、ダンボール板の縁端部よりも、やや入り込んだ位置になるようにして配置し、包装物を収容する前の段階にあっては、上の仕切に配置させた支柱と、下の仕切に配置させた支柱との間に間隙部が形成させるように構成したことを特徴とするダンボールパッケージ。【選択図】      図３
2004231215.tif 000002
【特許請求の範囲】
【請求項１】
ダンボール製の箱体２内に、梱包物を収容する仕切３を重ね入れるように構成したパッケージにあって、仕切３を構成するダンボール４の側面部に、積層ダンボールで形成した支柱６を配置させるとともに、支柱６の端部８が、ダンボール４の縁端部９よりも、やや入り込んだ位置になるようにして配置し、梱包物５を収容する前の段階にあっては、上の仕切３に配置させた支柱６と、下の仕切３に配置させた支柱６との間に間隙部１２が形成させるようにしたことを特徴とする積層ダンボール支柱の耐圧補強方法。
【発明の詳細な説明】
【０００１】
【発明が属する技術分野】
この発明は、小型重量物を多数梱包する場合に使用するダンボール製のパッケージの耐圧補強方法に関するものである。
【０００２】
【従来の技術】
小型重量物を輸出するような場合、多数の物を整然と並べて梱包する必要があるのであるが、従来は、ダンボール製の箱体内にパット付きの仕切を納め、その仕切内に小型重量物を入れた後、再び仕切を載せ、その中に小型重量物を並べ入れるという作業を繰り返すことによって、ダンボール箱に数段に分けて梱包するとう方法が採られており、その重りで仕切が劣化するのを防止するため、仕切の四隅部に木材で形成した補強支柱を配置させるという方法が採られているのである。
【０００３】
【課題を解決するための手段】
しかし、従来のように、仕切板の側部に木材で形成した補強材を配置させた場合、使用後におけるパッケージの処理の際に、木材部分とダンボール部分との分別処理が必要となり、それにともなって処理費用もかさみ、納品先に多くの負担をかけることになるのである。
また、輸出用の梱包に木材を使用する場合には、仕向け国によっては、薫蒸処理が施された木材の使用が義務付けられており、その薫蒸処理のための費用がかさむことになるのである。
【０００４】
この発明は、小型重量物を梱包するための仕切を配置させたパッケージにあって、木材等の補強材を使用することなく、重量に絶え得る強度を確保し得るとともに、パッケージ全体をダンボールのみで形成し得るようにすることによって、従来の方法にみられた上記のような欠点を除去しようとするものである。
【０００５】
【実施例】
図面にもとづいて、この発明の実施例を説明すると、パッケージ本体１は、ダンボール製の箱体２と、上下に配置させるトレー１０・１１と、箱体２内に段積み状にして納めるダンボール製の仕切３とからなり、仕切３を構成するダンボール４の側面部に、積層ダンボールで形成した支柱６を配置させるとともに、支柱６の端部８が、ダンボール板４の縁端部９よりも、やや入り込んだ位置になるようにして配置し、包装物５を収容する前の段階にあっては、上の仕切３に配置させた支柱６と、下の仕切３に配置させた支柱６との間に間隙部１２が形成させるように配置させることよって、積層ダンボール支柱６の耐圧補強を図った構成となっているのである。
【０００６】
すなわち、箱体２は、ダンボール板を正方形の筒状に折り曲げて縁部を固定することによって形成されており、その下方部と上方部に、トレー１０・１１を配置させる構成となっているのである。
【０００７】
また、仕切３は、上方から中心部に至る切り込みを形成した多数のダンボール板４と、下方から中心部に至る切り込み部を形成した多数のダンボール板４とからなり、それぞれの切れ込み部を噛み合わせることによって桝目状の仕切り空間１３・・・が形成され、その下部には、接着テープ等でパット１５が取り付け固定されており、その仕切り空間１３内に梱包物５を並べ入れ得る構成となっており、また、周囲には、支柱６を配置させる間隙部１４が形成された構成となっているのである。
【０００８】
支柱６は、片面ダンボールを複数枚貼り合せた積層ダンボールから形成されており、横幅は仕切３に形成した間隙部１４内に装着し得る寸法に設定されるとともに、高さは仕切３を構成するダンボール４の高さよりも４ｍｍ程度低くなるように形成されており、仕切３への装着は、ダンボール４の縁端部９よりもやや入り込んだ位置になるようにして行なわれるのである（図面上は、上縁端部から入れ込んだ状態となっているが、場合によっては、下縁端部から入れ込んだ状態とすることも可能である。）。これにより、梱包物を収容する前の段階にあっては、上の仕切３に配置させた支柱６と、下の仕切３に配置させた支柱６との間に間隙部１２が形成させた状態となるのである。なお、支柱６の配置数であるが、通常は、仕切３の四隅に配置され、包装物の重量により、適宜増加させることになるのである。
上記は、支柱６を片面ダンボールを積層することよって形成した場合の実施例であるが、通常のダンボールを積層した構成とすることも可能である。
【０００９】
【発明の効果】
この発明にかかるパッケージ本体１は、上記のような構成であって、仕切３全体と、ダンボール板で形成される支柱６とにより梱包物５の重量を分担支持し得る構成となっているため、木材等の補強材を使用する必要がなくなり、安価で、リサイクル化の容易なものにし得るという利点があるのである。
【００１０】
すなわち、上方から加わる重量に対する支持力は、支柱６に比べて仕切３を構成するダンボール板４の方が弱く、従って、支柱６の高さと仕切３を構成するダンボール板４の高さが一致した構成となっていた場合、梱包物５の重量は支柱６だけで受け止められることになるのであるが、この発明のように、仕切３を段重ね状態にした場合に、支柱６と支柱６との間に間隙部１２が形成されておれば、梱包物５の重量は、まず最初に仕切３を構成するダンボール板４によって受け止められ、重みによってヘタリを生じた段階（間隙部１２がなくなった段階）で、支柱６によって受け止め支持されることになるのである。これにより、梱包物５の重量は、仕切３を構成するダンボール板４と支柱６とに分散され、ダンボール製の補強材だけでは支持し得ないような小型重量物の梱包を可能にし得ることになるのである。
それにより、木材等の補強材の使用が不要となり、パッケージ処理の際に分別処理の必要がなく、パッケージ全体のリサイクル化を容易にし、また、木材を使用した場合のような燻蒸経費も不要になるという利点があるのである。
【図面の簡単な説明】
【図１】仕切の構成を示す斜視図である。
【図２】包装物の収容状態を示す斜視図である。
【図３】仕切の重なり状態を示す斜視図である。
【図４】パッケージ全体を示す斜視図である。
【符号の説明】
１    パッケージ本体
２    箱体
３    仕切
４    ダンボール板
５    梱包物
６    支柱
８    支柱の端部
９    ダンボール板の縁端部
１２    間隙部
【図１】
2004231215.tif 000003
【図２】
2004231215.tif 000004
【図３】
2004231215.tif 000005
【図４】
2004231215.tif 000006